(57)【要約】【課題】簡便な構造を有しつつ、施工が容易であり、なお且つ安価な床支持具及びその設置構造を提供する。【解決手段】中空円筒状の柱部４と、柱部４の基端側に位置して柱部４を立設した状態で支持する脚部５と、柱部４の外周面に形成された雄ネジ部６とを有する束部材２と、中心孔１９が形成された座板部２０と、中心孔１９の内周面に形成された雌ネジ部とを有する台座部材３とを備え、台座部材３は、雄ネジ部６と雌ネジ部との螺合により束部材２に対して柱部４の高さ方向に移動自在に取り付けられ、柱部４は、合成樹脂材料からなり、柱部４を切断することにより柱部４の高さが調整自在とされている。【選択図】図１
2015175126.tif 000002
【特許請求の範囲】
【請求項１】
中空円筒状の柱部と、前記柱部の基端側に位置して前記柱部を立設した状態で支持する脚部と、前記柱部の外周面に形成された雄ネジ部とを有する束部材と、
中心孔が形成された座板部と、前記中心孔の内周面に形成された雌ネジ部とを有する台座部材とを備え、
前記台座部材は、前記雄ネジ部と前記雌ネジ部との螺合により前記束部材に対して前記柱部の高さ方向に移動自在に取り付けられ、
前記柱部は、合成樹脂材料からなり、前記柱部を切断することにより前記柱部の高さが調整自在とされていることを特徴とする床支持具。
【請求項２】
中空円筒状の柱部と、前記柱部の基端側に位置して前記柱部を立設した状態で支持する脚部と、前記柱部の外周面に形成された雄ネジ部とを有する束部材と、
座板部と、前記座板部の下面中央部から垂下された下筒部と、前記下筒部の内周面に形成された雌ネジ部とを有する台座部材とを備え、
前記台座部材は、前記雄ネジ部と前記雌ネジ部との螺合により前記束部材に対して前記柱部の高さ方向に移動自在に取り付けられ、
前記柱部は、合成樹脂材料からなり、前記柱部を切断することにより前記柱部の高さが調整自在とされていることを特徴とする床支持具。
【請求項３】
前記脚部は、前記柱部の基端部から拡径方向に放射状に延びる複数のリブ部を有し、
前記複数のリブ部は、互いに対向する一対の側板部と、前記一対の側板部の間の上面を閉塞する天板部とを有することを特徴とする請求項１又は２に記載の床支持具。
【請求項４】
雄ネジ部が形成された柱部と、前記柱部の基端側に位置して前記柱部を立設した状態で支持する脚部とを有する束部材と、
雌ネジ部が形成された座板部を有して、前記雄ネジ部と前記雌ネジ部との螺合により前記束部材に対して前記柱部の高さ方向に移動自在に取り付けられた台座部材とを備え、
前記脚部は、前記柱部の基端部から拡径方向に放射状に延びる複数のリブ部を有し、
前記複数のリブ部は、互いに対向する一対の側板部と、前記一対の側板部の間の上面を閉塞する天板部とを有することを特徴とする床支持具。
【請求項５】
前記複数のリブ部の底面側が中空状に形成されることによって、接着剤が入り込む凹部が形成されていることを特徴とする請求項３又は４に記載の床支持具。
【請求項６】
前記脚部は、前記柱部と前記複数のリブ部との間に外側フランジ部を有し、
前記外側フランジ部は、前記柱部の外周面から拡径方向に突出されると共に、その上面が前記複数のリブ部の上面と連続した面を形成していることを特徴とする請求項３〜５の何れか一項に記載の床支持具。
【請求項７】
前記束部材は、前記柱部の基端部に内側フランジ部を有し、
前記内側フランジ部は、前記柱部の内周面から縮径方向に突出して設けられていることを特徴とする請求項１〜６の何れか一項に記載の床支持具。
【請求項８】
前記束部材は、前記柱部の外周面に前記柱部の高さ基準を示す表示部を有することを特徴とする請求項１〜７の何れか一項に記載の床支持具。
【請求項９】
前記束部材は、合成樹脂材料により一体成形されていることを特徴とする請求項１〜８の何れか一項に記載の床支持具。
【請求項１０】
基礎の上で床を構成する部材を支持する床支持具の設置構造であって、
請求項１〜９の何れか一項に記載の床支持具を用い、
前記床支持具を前記基礎の上に複数並べた状態で設置し、前記床を構成する部材を支持する高さに合わせて、各床支持具の高さが調整されていることを特徴とする床支持具の設置構造。
【請求項１１】
前記束部材が接着剤を介して前記基礎に固定されていることを特徴とする請求項１０に記載の床支持具の設置構造。
【発明の詳細な説明】
【技術分野】
【０００１】
本発明は、床支持具及びその設置構造に関する。
【背景技術】
【０００２】
床支持具は、基礎（土台）の上で大引や根太などの床を構成する部材（以下、床材という。）を支持する支持脚として、基礎の上に複数並べた状態で設置される。このとき、床材を支持する高さに合わせて、各床支持具の高さ（長さ）を調整する必要がある。また、設置後に床支持具の位置がずれないように、接着剤を用いて床支持具を基礎に固定することが行われている。
【０００３】
床支持具の中には、高さ調整が可能な合成樹脂（プラスチック）製の束柱（床束ともいう。）がある（例えば、特許文献１〜４を参照。）。しかしながら、このような高さ調整機能付きの樹脂製束柱は、予め高さ（長さ）が決められている床支持具よりも部品点数が多く、構造も複雑となるため、比較的高価である。このため、施工が容易でなお且つ安価なものが求められている。
【先行技術文献】
【特許文献】
【０００４】
【特許文献１】特開２０００−１７０３０２号公報
【特許文献２】特開２０００−１７０３５６号公報
【特許文献３】特開２００３−７４１７１号公報
【特許文献４】特開２００７−１０７３３０号公報
【発明の概要】
【発明が解決しようとする課題】
【０００５】
本発明は、このような従来の事情に鑑みて提案されたものであり、簡便な構造を有しつつ、施工が容易であり、なお且つ安価な床支持具及びその設置構造を提供することを目的とする。
【課題を解決するための手段】
【０００６】
上記の目的を達成するために、本発明は以下の手段を提供する。
（１）  中空円筒状の柱部と、前記柱部の基端側に位置して前記柱部を立設した状態で支持する脚部と、前記柱部の外周面に形成された雄ネジ部とを有する束部材と、
中心孔が形成された座板部と、前記中心孔の内周面に形成された雌ネジ部とを有する台座部材とを備え、
前記台座部材は、前記雄ネジ部と前記雌ネジ部との螺合により前記束部材に対して前記柱部の高さ方向に移動自在に取り付けられ、
前記柱部は、合成樹脂材料からなり、前記柱部を切断することにより前記柱部の高さが調整自在とされていることを特徴とする床支持具。
【０００７】
（２）  中空円筒状の柱部と、前記柱部の基端側に位置して前記柱部を立設した状態で支持する脚部と、前記柱部の外周面に形成された雄ネジ部とを有する束部材と、
座板部と、前記座板部の下面中央部から垂下された下筒部と、前記下筒部の内周面に形成された雌ネジ部とを有する台座部材とを備え、
前記台座部材は、前記雄ネジ部と前記雌ネジ部との螺合により前記束部材に対して前記柱部の高さ方向に移動自在に取り付けられ、
前記柱部は、合成樹脂材料からなり、前記柱部を切断することにより前記柱部の高さが調整自在とされていることを特徴とする床支持具。
【０００８】
（３）  前記脚部は、前記柱部の基端部から拡径方向に放射状に延びる複数のリブ部を有し、
前記複数のリブ部は、互いに対向する一対の側板部と、前記一対の側板部の間の上面を閉塞する天板部とを有することを特徴とする前記（１）又は（２）に記載の床支持具。
【０００９】
（４）  雄ネジ部が形成された柱部と、前記柱部の基端側に位置して前記柱部を立設した状態で支持する脚部とを有する束部材と、
雌ネジ部が形成された座板部を有して、前記雄ネジ部と前記雌ネジ部との螺合により前記束部材に対して前記柱部の高さ方向に移動自在に取り付けられた台座部材とを備え、
前記脚部は、前記柱部の基端部から拡径方向に放射状に延びる複数のリブ部を有し、
前記複数のリブ部は、互いに対向する一対の側板部と、前記一対の側板部の間の上面を閉塞する天板部とを有することを特徴とする床支持具。
【００１０】
（５）  前記複数のリブ部の底面側が中空状に形成されることによって、接着剤が入り込む凹部が形成されていることを特徴とする前記（３）又は（４）に記載の床支持具。
【００１１】
（６）  前記脚部は、前記柱部と前記複数のリブ部との間に外側フランジ部を有し、
前記外側フランジ部は、前記柱部の外周面から拡径方向に突出されると共に、その上面が前記複数のリブ部の上面と連続した面を形成していることを特徴とする前記（３）〜（５）の何れか一項に記載の床支持具。
【００１２】
（７）  前記束部材は、前記柱部の基端部に内側フランジ部を有し、
前記内側フランジ部は、前記柱部の内周面から縮径方向に突出して設けられていることを特徴とする前記（１）〜（６）の何れか一項に記載の床支持具。
【００１３】
（８）  前記束部材は、前記柱部の外周面に前記柱部の高さ基準を示す表示部を有することを特徴とする前記（１）〜（７）の何れか一項に記載の床支持具。
【００１４】
（９）  前記束部材は、合成樹脂材料により一体成形されていることを特徴とする前記（１）〜（８）の何れか一項に記載の床支持具。
【００１５】
（１０）  基礎の上で床を構成する部材を支持する床支持具の設置構造であって、
前記（１）〜（９）の何れか一項に記載の床支持具を用い、
前記床支持具を前記基礎の上に複数並べた状態で設置し、前記床を構成する部材を支持する高さに合わせて、各床支持具の高さが調整されていることを特徴とする床支持具の設置構造。
【００１６】
（１１）  前記床支持具が接着剤を介して前記基礎に固定されていることを特徴とする前記（１０）に記載の床支持具の設置構造。
【発明の効果】
【００１７】
以上のように、本発明によれば、簡便な構造を有しつつ、施工が容易であり、なお且つ安価な床支持具及びその設置構造を提供することが可能である。
【図面の簡単な説明】
【００１８】
【図１】本発明の第１の実施形態に係る床支持具を上面側から見た斜視図である。
【図２】図１に示す床支持具を底面側から見た斜視図である。
【図３】図１中に示す線分Ａ−Ａによる床支持具の断面図である。
【図４】図１中に示す線分Ｂ−Ｂによる床支持具の断面図である。
【図５】図１に示す床支持具が備える束部材の片断面図である。
【図６】図１に示す床支持具が備える束部材の上面図である。
【図７】図１に示す床支持具が備える束部材の底面図である。
【図８】図１に示す床支持具が備える台座部材の上面図である。
【図９】図８中に示す線分Ｚ−Ｚによる台座部材の断面図である。
【図１０】図１に示す床支持具の設置構造の一例を示す側面図である。
【図１１】図１０中に示す線分Ｘ−Ｘによる床支持具の設置構造の断面図である。
【図１２】図１０中に示す線分Ｙ−Ｙによる床支持具の設置構造の断面図である。
【図１３】図１に示す床支持具の設置構造の他例を示す側面図である。
【図１４】本発明の第２の実施形態に係る床支持具を上面側から見た斜視図である。
【図１５】図１４に示す床支持具を底面側から見た斜視図である。
【図１６】図１４中に示す線分Ｃ−Ｃによる床支持具の断面図である。
【発明を実施するための形態】
【００１９】
以下、本発明の実施の形態について、図面を参照して詳細に説明する。
なお、本発明は、以下の実施形態に限定されるものではなく、その要旨を変更しない範囲で適宜変更して実施することが可能である。
【００２０】
［第１の実施形態］
（床支持具）
先ず、本発明の第１の実施形態として、例えば図１、図２、図３及び図４に示す床支持具１について説明する。なお、図１は、床支持具１を上面側から見た斜視図である。図２は、床支持具１を底面側から見た斜視図である。図３は、図１中に示す線分Ａ−Ａによる床支持具１の断面図である。図４は、図１中に示す線分Ｂ−Ｂによる床支持具１の断面図である。
【００２１】
床支持具１は、図１〜図４に示すように、高さ調整が可能な合成樹脂（プラスチック）製の束柱（床束）であり、基礎（土台）の上で大引や根太などの床を構成する部材（以下、床材という。）を支持する支持脚として使用される。
【００２２】
具体的に、この床支持具１は、束部材２と、台座部材３とを備えて構成されている。束部材２と台座部材３とは、それぞれ合成樹脂材料により一体成形されたものからなる。合成樹脂材料には、屋外用という過酷な自然環境での使用に耐え得る耐候性樹脂として、例えば、ポリプロピレン（ＰＰ）等の熱可塑性樹脂や、ポリプロピレン（ＰＰ）とガラス繊維とを混合したガラス繊維強化ポリプロピレン（ＧＦＰＰ）等の複合材料などを好適に用いることができる。なお、束部材２及び台座部材３の材質については、上述した合成樹脂材料を用いたものに必ずしも限定されるものではなく、床支持具１を構成するのに最適な材料を適宜選択して使用できる。また、束部材２及び台座部材３は、同じ材質ものに限らず、異なる材質のものを用いてもよい。
【００２３】
束部材２の具体的な構成を図５、図６及び図７に示す。なお、図５は、束部材２の側面のうち中心軸Ｏを挟んだ片側（右側）を断面で示す片断面図である。図６は、束部材２の構成を示す上面図である。図７は、束部材２の構成を示す底面図である。
【００２４】
束部材２は、図１〜図７に示すように、中空円筒状の柱部４と、柱部４の基端側に位置して柱部４を立設した状態で支持する脚部５と、柱部４の外周面に形成された雄ネジ部６とを有している。
【００２５】
柱部４は、脚部５の中央部から鉛直上向きに所定の高さ（長さ）で立ち上がり形成されている。雄ネジ部６は、例えば鋸歯ネジからなり、柱部４の基端部と先端部との間に亘って設けられている。
【００２６】
柱部４の外周面には、柱部４の高さ基準を示す表示部７が設けられている。表示部７は、柱部４の外周面において柱部４の高さ寸法を示す目盛りが立体的に表示されたものからなる。表示部７は、例えば柱部４の外周面の互いに対向する位置（中心軸Ｏに対して１８０°対称となる位置）に雄ネジ部６を分断するように形成されている。なお、表示部７は、柱部４の高さ基準を示すものであれば、上述した目盛りに限らず、例えば目印やマーク等であってもよい。
【００２７】
柱部４の内周面には、束部材２の剛性を高めるための複数のリブ壁８と、内側フランジ部９とが設けられている。リブ壁８は、柱部４の内周面において、その周方向に等間隔に複数（本実施形態では５つ）並んで設けられている。各リブ壁８は、柱部４の内周面から長手方向に沿って突出して設けられている。内側フランジ部９は、柱部４の基端部に位置して、柱部４の内周面から縮径方向に突出して設けられている。
【００２８】
脚部５は、柱部４の基端部から拡径方向に放射状に延びる複数のリブ部１０と、複数のリブ部１０の間を同心円状に連結する複数のリング部１１と、柱部４と複数のリブ部１０との間に外側フランジ部１２とを有している。
【００２９】
リブ部１０は、柱部４の周方向に等間隔に複数（本実施形態では４つ）並んで設けられている。各リブ部１０は、互いに対向する一対の側板部１３ａ，１３ｂと、一対の側板部１３ａ，１３ｂの間の上面を閉塞する天板部１４とを有している。また、リブ部１０の底面には、一対の側板部１３，１３と天板部１４との間が中空状に形成されることによって、後述する接着剤が入り込む凹部１５が形成されている。
【００３０】
一対の側板部１３ａ，１３ｂは、リブ部１０の両側面を構成している。一対の側板部１３ａ，１３ｂは、一定の間隔で互いに平行に並んで設けられている。天板部１４は、リブ部１０の上面を構成している。天板部１４は、内側平面部１４ａと、傾斜面部１４ｂと、外側平面部１４ｃとを有している。このうち、内側平面部１４ａは、外側平面部１４ｃよりも内側にあり、且つ、外側平面部１４ｃよりも高い位置にある。傾斜面部１４ｂは、内側平面部１４ａと外側平面部１４ｃとの間で傾斜している。外側平面部１４ｃには、基礎に固定される際にアンカー等を貫通させるための貫通孔１６が設けられている。
【００３１】
リング部１１は、リブ部１０の基端部と先端部との間に亘って等間隔に複数（本実施形態では６つ）並んで設けられている。各リング部１１は、外側平面部１４ｃよりも僅かに低い高さで形成されている。また、互いに隣接するリブ部１０の間には、各リング部１１の間を半径方向に連結する連結部１７が設けられている。連結部１７は、リング部１１の周方向に等間隔に複数（本実施形態では４つ）並んで設けられている。そして、複数のリング部１１及び連結部１７の各間には、後述する接着剤が入り込むスリット１８が同心円状に並んで形成されている。
【００３２】
外側フランジ部１２は、柱部４と脚部５（複数のリブ部１０）との接続部分の剛性を高めるためのものであり、柱部４の外周面から拡径方向に突出して設けられている。外側フランジ部１２は、複数のリブ部１０の間を連結している。また、外側フランジ部１２の上面は、リブ部１０の内側平面部１４ａと同じ高さにあり、リブ部１０の上面と連続した面を形成している。
【００３３】
台座部材３の具体的な構成を図８及び図９に示す。なお、図８は、台座部材３の構成を示す上面図である。図９は、図８中に示す線分Ｚ−Ｚによる台座部材３の断面図である。
【００３４】
台座部材３は、図１〜図４、図８及び図９に示すように、中心孔１９が形成された座板部２０と、中心孔１９の内周面に形成された雌ネジ部２１とを有している。雌ネジ部２１は、例えば鋸歯ネジからなり、中心孔１９を貫通する方向に亘って設けられている。
【００３５】
座板部２０は、床材が設置される座面を構成しており、所定の厚みで円板状に形成されている。また、座板部２０の底面側は中空状に形成されている。なお、座板部２０の外径は、脚部５の外径（最外周に位置するリング部１１の外径）と同程度である。
【００３６】
台座部材３は、座板部２０の上面を放射状に分断する複数の溝部２２を有している。溝部２２は、座板部２０の周方向に等間隔に複数（本実施形態では６つ）並んで設けられている。溝部２２は、水抜き用の流路として、内周側から外周側に向かって勾配が低くなるように形成されている。また、溝部２２の外周側の端部は、座板部２０の外周面において、末広形状を有している。座板部２０の上面には、複数の窪み部２３が設けられている。窪み部２３は、座板部２０の上面において周方向及び半径方向に多数並んで配置されている。
【００３７】
以上のような構成を有する床支持具１では、図１〜図４に示すように、雄ネジ部６と雌ネジ部２１との螺合によって、束部材２に対して台座部材３が柱部４の高さ（長さ）方向に移動自在（昇降自在）に取り付けられる。また、束部材２は、樹脂製の柱部４を切断することによって、この柱部４の高さ（長さ）が調整自在とされている。
【００３８】
したがって、本実施形態の床支持具１では、床材を支持する高さに合わせて、束部材２に対する台座部材３の高さを容易に調整することが可能である。また、本実施形態の床支持具１では、柱部４に対する脚部５の高さを低く抑えることによって、束部材２に対する台座部材３の高さの調整範囲を広げることが可能となっている。
【００３９】
また、本実施形態の床支持具１は、樹脂製の支持脚として、軽量且つ高剛性（強度）な構造を有している。すなわち、この床支持具１では、上述した束部材２の剛性を高めるための複数のリブ壁８及び内側フランジ部９や、柱部４と脚部５（複数のリブ部１０）との接続部分の剛性を高めるための外側フランジ部１２が設けられている。
【００４０】
さらに、本実施形態の床支持具１では、上述した束部材２において柱部４に対する脚部５の高さを低く抑えた構造でありながら、台座部材３に荷重が加わった状態での束部材２の倒れ込みを防ぐことが可能である。すなわち、この床支持具１では、上述した一対の側板部１３ａ，１３ｂと天板部１４とを有する複数のリブ部１０によって、柱部４を立設した状態で安定的に支持することが可能である。さらに、複数のリブ部１０の間を同心円状に連結する複数のリング部１１と、各リング部１１の間を半径方向に連結する複数の連結部１７とによって、柱部４を支持する脚部５の安定化が図られている。したがって、本実施形態の床支持具１では、軽量な樹脂製の支持脚として、床材を支持するのに十分な剛性・強度を確保することが可能である。
【００４１】
（床支持具の設置構造）
次に、上記床支持具１の設置構造について図１０、図１１及び図１２を参照して説明する。なお、図１０は、床支持具１の設置構造の一例を示す平面図である。図１１は、図１０中に示す線分Ｘ−Ｘによる床支持具１の設置構造の断面図である。図１２は、図１０中に示す線分Ｙ−Ｙによる床支持具１の設置構造の断面図である。
【００４２】
本実施形態の床支持具１の設置構造は、図１０〜図１２に示すように、屋外デッキを施工した例である。この屋外デッキの施工時には、先ず、基礎Ｋの上に複数の床支持具１を所定の間隔で直線状に並べた状態で設置する。このとき、床材Ｔを支持する高さに合わせて、各床支持具１の高さを調整する。
【００４３】
通常、基礎Ｋには、底面に溜まった水が決まった方向に流れるように、一端側から他端側に向かって一定の勾配（いわゆる水勾配）が設けられている（図１２を参照。）。したがって、施工現場では、このような勾配の違いに合わせて各床支持具１の高さを調整することが行われている。具体的には、複数の床支持具１により支持される床材Ｔが水平となるように、各床支持具１の高さを調整する。
【００４４】
本実施形態では、上述したように、束部材２の柱部４に螺合された台座部材３を柱部４の軸周りに回転させることによって、台座部材３を柱部４の高さ方向に移動させながら、束部材２に対する台座部材３の高さ位置を調整することができる。床支持具１の高さ調整後は、必要に応じて台座部材３の中心孔１９から上方に突き出した余分な柱部４をグラインダー等の切断機により切断する。これにより、各床支持具１の高さ調整を施工現場で容易に行うことができる。
【００４５】
なお、切断機（切断手段）については、柱部４を切断可能なものであれば、特に限定されるものではない。また、柱部４の切断時には、柱部４に螺合された台座部材３を一旦取り外してもよい。若しくは、台座部材３を高さ調整後の位置よりも更に低い位置へと移動させてもよい。この場合、柱部４に設けられた表示部７を目安にして柱部４の切断を容易に行うことができ、切断機による台座部材３の損傷も未然に防ぐことができる。
【００４６】
本実施形態の床支持具１の設置構造では、各床支持具１が接着剤Ｓを介して基礎Ｋに固定される。具体的に、床支持具１を基礎Ｋの上に設置する際は、床支持具１の位置がずれないように、接着剤Ｓを用いて床支持具１を基礎Ｋに固定する。接着剤Ｓとしては、床支持具１を基礎Ｋに接着可能なものであればよく、例えば、エポキシ樹脂系接着剤を好適に用いることができる。
【００４７】
接着剤Ｓは、床支持具１の高さ調整後に、基礎Ｋの床支持具１が設置される面上に必要な量だけ塗布する。床支持具１は、接着剤Ｓが塗布された面上に設置することによって、この接着剤Ｓを介して基礎Ｋに固定される。このとき、接着剤Ｓは、上記スリット１８の間からはみ出した状態となる。これにより、接着剤Ｓの硬化後に、いわゆるアンカー効果によって床支持具１を基礎Ｋの設置面上に強固に固定することができる。
【００４８】
さらに、本実施形態の床支持具１の設置構造では、上記凹部１５の内側に接着剤Ｓが入り込むことによって、接着剤Ｓの硬化後に、アンカー効果によって床支持具１を基礎Ｋの設置面上に更に強固に固定することができる。
【００４９】
なお、本実施形態の床支持具１の設置構造では、図示を省略するものの、必要に応じて床支持具１を基礎Ｋにアンカー止めにより固定してもよい。この場合、基礎Ｋにアンカーボルトを打ち込んだ後に、上記貫通孔１６にアンカーボルトを貫通させた状態で、このアンカーボルトにナットを締結する。これにより、床支持具１を基礎Ｋに固定することができる。
【００５０】
次に、基礎Ｋの上に直線状に並べられた複数の床支持具１の上に、床材Ｔとして、複数の大引１０１を所定の間隔で並べて配置し、その上に、大引１０１と直交するように複数の根太１０２を所定の間隔で並べて配置し、その上に更に、根太１０２と直交するように複数の床板１０３を互いに隣接した状態で並べて配置する。また、大引１０１は、床支持具１の台座部材３にビス止めにより固定し、根太１０２は、大引１０１にビス止めにより固定し、床板１０３は、根太１０２にビス止めに固定する。
【００５１】
大引１０１及び根太１０２は、例えば高耐食性亜鉛めっき鋼板をハット形の断面形状に折り曲げ加工した形鋼からなる。床板１０３は、例えば木材に模した樹脂成型品からなる。なお、大引１０１、根太１０２及び床板１０３については、これらの材料からなるものに限らず、適宜変更して実施することが可能である。
【００５２】
本実施形態の床支持具１の設置構造では、床材Ｔ（大引１０１）が台座部材３（座板部２０）の上面にビス止めにより固定されている。具体的に、座板部２０の上面に大引１０１をビス止めする際は、大引１０１の両端に設けられたフランジ１０１ａ，１０１ｂを座板部２０の上面に当接させた状態で、これら一対のフランジ１０１ａ，１０１ｂを複数のビスＶによって座板部２０に固定する。
【００５３】
このとき、ビスＶを座板部２０にねじ込むことによって発生したバリが座板部２０と大引１０１との間に入り込むことで、いわゆるバリ浮きと呼ばれる座板部２０に対して大引１０１が僅かに浮いてしまい、床材Ｔの水平度が低下する現象が発生することがある。また、座板部２０と大引１０１との間に入り込んだバリによって、台座部材３に加わる荷重も不均一なものとなる。
【００５４】
これに対して、本実施形態の床支持具１の設置構造では、ビス止めの際に発生したバリが窪み部２３の内側に入り込むことによって、上述したバリ浮きの発生を防止することができる。これにより、複数の床支持具１により支持される床材Ｔを水平に保つことができる。なお、バリ浮き防止機構としては、上記窪み部２３を配置した構成に限らず、座板部２０（台座部材３）と大引１０１（床材Ｔ）との接触面の間にバリが入り込むのを防止する機構であればよく、上記窪み部２３は、その一例を示している。
【００５５】
以上のように、本実施形態によれば、簡便な構造を有しつつ、施工が容易であり、なお且つ安価な床支持具１及びその設置構造を提供することが可能である。
【００５６】
なお、本発明は、上記第１の実施形態のものに必ずしも限定されるものではなく、本発明の趣旨を逸脱しない範囲において種々の変更を加えることが可能である。
例えば、図１３は、上記床支持具１の設置構造の他例を示す側面図である。
図１３に示す上記床支持具１の設置構造では、基礎Ｋに段差がある場合に、高さの異なる床支持具１Ａ，１Ｂによって床材Ｔが水平に支持されている。床支持具１Ａ，１Ｂには、上記床支持具１を用いており、基礎Ｋの段差に合わせて、束部材２に対する台座部材３の高さ位置を異ならせている。
【００５７】
この場合も、各床支持具１Ａ，１Ｂの床材Ｔを支持する高さに合わせて、束部材２に対する台座部材３の高さを容易に調整することが可能である。これにより、複数の床支持具１Ａ，１Ｂにより支持される床材Ｔを水平に保つことが可能である。
【００５８】
［第２の実施形態］
（床支持具）
先ず、本発明の第２の実施形態として、例えば図１４、図１５及び図１６に示す床支持具５０について説明する。なお、図１４は、床支持具５０を上面側から見た斜視図である。図１５は、床支持具５０を底面側から見た斜視図である。図１６は、図１４中に示す線分Ｃ−Ｃによる床支持具５０の断面図である。また、以下の説明では、上記床支持具１と同等の部位については、説明を省略すると共に、図面において同じ符号を付すものとする。
【００５９】
床支持具５０は、上記台座部材３の代わりに、台座部材５１を備える以外は、上記床支持具１と基本的に同じ構成を有している。具体的に、この台座部材５１は、図１４〜図１６に示すように、座板部５２と、座板部５２の下面中央部から垂下された下筒部５３と、下筒部５３の内周面に形成された雌ネジ部５４とを有している。
【００６０】
座板部５２は、床材が設置される座面を構成しており、所定の厚みで円板状に形成されている。また、座板部５２の底面側は中空状に形成されている。なお、座板部５２の外径は、脚部５の外径（最外周に位置するリング部１１の外径）と同程度である。また、座板部５２には、上記座板部２０と同様に、複数の窪み部２３とが設けられている。なお、座板部５２では、上記溝部２２については省略されているものの、上記座板部２０と同様に、複数の溝部２２を設けることが可能である。
【００６１】
下筒部５３は、座板部５２の下面中央部から鉛直下向きに柱部４よりも短い長さで中空円筒状に形成されている。また、下筒部５３の外周面には、台座部材５１の剛性を高めるための複数のリブ壁５５が設けられている。リブ壁５５は、下筒部５３の外周面において、その周方向に等間隔に複数（本実施形態では６つ）並んで設けられている。各リブ壁５５は、座板部５２の下面から下筒部５３の外周面の長手方向に沿って突出して設けられている。また、各リブ壁５５の高さは、上端部から下端部に向かって徐々に低くなっている。
【００６２】
雌ネジ部５４は、例えば鋸歯ネジからなり、下筒部５３の上端部と下端部との間に亘って設けられている。
【００６３】
以上のような構成を有する床支持具５０では、雄ネジ部６と雌ネジ部５４との螺合によって、束部材２に対して台座部材５１が柱部４の高さ（長さ）方向に移動自在（昇降自在）に取り付けられる。また、束部材２は、樹脂製の柱部４を切断することによって、この柱部４の高さ（長さ）が調整自在とされている。
【００６４】
したがって、本実施形態の床支持具５０では、上記床支持具１と同様に、床材を支持する高さに合わせて、束部材２に対する台座部材５１の高さを容易に調整することが可能である。また、本実施形態の床支持具５０では、柱部４に対する脚部５の高さを低く抑えることによって、束部材２に対する台座部材３の高さの調整範囲を広げることが可能となっている。
【００６５】
また、本実施形態の床支持具５０は、樹脂製の支持脚として、軽量且つ高剛性（強度）な構造を有している。すなわち、この床支持具５０では、上述した束部材２の剛性を高めるための複数のリブ壁８及び内側フランジ部９や、柱部４と脚部５（複数のリブ部１０）との接続部分の剛性を高めるための外側フランジ部１２が設けられている。
【００６６】
さらに、本実施形態の床支持具５０では、上述した束部材２において柱部４に対する脚部５の高さを低く抑えた構造でありながら、台座部材５１に荷重が加わった状態での束部材２の倒れ込みを防ぐことが可能である。すなわち、この床支持具５０では、上述した一対の側板部１３ａ，１３ｂと天板部１４とを有する複数のリブ部１０によって、柱部４を立設した状態で安定的に支持することが可能である。さらに、複数のリブ部１０の間を同心円状に連結する複数のリング部１１と、各リング部１１の間を半径方向に連結する複数の連結部１７とによって、柱部４を支持する脚部５の安定化が図られている。したがって、本実施形態の床支持具１では、軽量な樹脂製の支持脚として、床材を支持するのに十分な剛性・強度を確保することが可能である。
【００６７】
（床支持具の設置構造）
次に、上記床支持具５０の設置構造については、上記床支持具１の代わりに、上記床支持具５０を用いる以外は、床支持具１の設置構造と基本的に同じである。また、上記床支持具１の設置構造と同様の方法により施工を行うことが可能である。
【００６８】
すなわち、上記床支持具５０の設置構造では、図示を省略するものの、束部材２の柱部４に螺合された台座部材５１を柱部４の軸周りに回転させることによって、台座部材３を柱部４の高さ方向に移動させながら、束部材２に対する台座部材５１の高さ位置を調整することができる。また、必要に応じて柱部４をグラインダー等の切断機により切断してもよい。この場合、柱部４に設けられた表示部７を目安にして柱部４の切断を容易に行うことができる。これにより、各床支持具５０の高さ調整を施工現場で容易に行うことができる。それ以外は、上記床支持具５０を用いて、上記床支持具１の設置構造と同様の方法により施工を行うことができる。
【００６９】
以上のように、本実施形態によれば、簡便な構造を有しつつ、施工が容易であり、なお且つ安価な床支持具５０及びその設置構造を提供することが可能である。
【符号の説明】
【００７０】
１，１Ａ，１Ｂ…床支持具  ２…束部材  ３…台座部材  ４…柱部  ５…脚部  ６…雄ネジ部  ７…表示部  ８…リブ壁  ９…内側フランジ部  １０…リブ部  １１…リング部  １２…外側フランジ部  １３ａ，１３ｂ…一対の側板部  １４…天板部  １５…凹部  １６…貫通孔  １７…連結部  １８…スリット  １９…中心孔  ２０…座板部  ２１…雌ネジ部  ２２…溝部  ２３…窪み部  ５０…床支持具  ５１…台座部材  ５２…座板部  ５３…下筒部  ５４…雌ネジ部  ５５…リブ壁  １０１…大引  １０２…根太  １０３…床板  Ｋ…基礎  Ｔ…床材  Ｓ…接着剤  Ｖ…ビス
【図１】
2015175126.tif 000003
【図２】
2015175126.tif 000004
【図３】
2015175126.tif 000005
【図４】
2015175126.tif 000006
【図５】
2015175126.tif 000007
【図６】
2015175126.tif 000008
【図７】
2015175126.tif 000009
【図８】
2015175126.tif 000010
【図９】
2015175126.tif 000011
【図１０】
2015175126.tif 000012
【図１１】
2015175126.tif 000013
【図１２】
2015175126.tif 000014
【図１３】
2015175126.tif 000015
【図１４】
2015175126.tif 000016
【図１５】
2015175126.tif 000017
【図１６】
2015175126.tif 000018